(57)【特許請求の範囲】
【請求項１】
防災受信盤と、上記防災受信盤と信号線によって接続され、上記防災受信盤から監視制御されるトンネル内に配置される複数の火災検知器と、から構成される防災システムにおいて、
上記防災受信盤は、
火災検知器が検出した物理現象に応じた信号パルスを上記火災検知器から受信する信号パルス受信手段と；
上記火災検知器から受信した信号パルスが、火災の要因による信号パルスであるのか、または、火災以外の要因による信号パルスであるのかを、上記信号パルスのパルス間隔に基づいて判断する判断手段と；
受信した信号パルスが火災の要因による信号パルスであると判断されれば、防災受信盤における蓄積時間が経過した後に火災警報する火災警報出力手段と；
受信した信号パルスが火災の要因による信号パルスであると判断されれば、上記防災受信盤における蓄積時間を所定の蓄積時間とし、受信した信号パルスが火災以外の要因による信号パルスであると判断されれば、上記防災受信盤における蓄積時間を変更する蓄積時間変更手段と；
を有することを特徴とする防災システム。
【請求項２】
請求項１において、
上記判断手段は、上記受信した信号パルスのパルス間隔と記憶手段に格納されている時間とを比較することによって、受信した信号パルスが、火災の要因による信号パルスであるのか、または、火災以外の要因による信号パルスであるのかを判断する手段であることを特徴とする防災システム。
【発明の詳細な説明】
【技術分野】
【０００１】
本発明は、火災検知器の状態を防災受信盤が自動判定し、各火災検知器の状態に応じた火災判定を行なう防災システムに関する。
【背景技術】
【０００２】
従来の蓄積機能を有する火災検知システムにおいて、算出した平均値が大きければ（煙感知器の場合、例えば７％／ｍ）、実火災である可能性が高いので、蓄積時間として、比較的短い時間（例えば１０秒）を設定し、上記算出した平均値が小さければ（煙感知器の場合、例えば２％／ｍ）、非火災である可能性が高いので、蓄積時間として、比較的長い時間（例えば５０秒）を設定するシステムが知られている（たとえば、特許文献１参照）。
【先行技術文献】
【特許文献】
【０００３】
【特許文献１】特開平９−２８８７８１号公報
【発明の概要】
【発明が解決しようとする課題】
【０００４】
上記従来例では、火災検知部の汚れ、機能部品の劣化、ケーブルの劣化等によって、火災検出時以外の機能低下等で、火災信号を送信することがあるが、この火災信号は火災を検出したものではないので、防災受信盤が火災であると判定すると、誤報になる。
【０００５】
本発明は、一過性の現象や火災検知器の機能低下等による誤報を少なくすることができる防災システムを提供することを目的とする。
【課題を解決するための手段】
【０００６】
本発明の防災システムは、防災受信盤と、上記防災受信盤と信号線によって接続され、上記防災受信盤から監視制御されるトンネル内に配置される複数の火災検知器と、から構成される防災システムにおいて、上記防災受信盤は、火災検知器が検出した物理現象に応じた信号パルスを上記火災検知器から受信する信号パルス受信手段と、上記火災検知器から受信した信号パルスが、火災の要因による信号パルスであるのか、または、火災以外の要因による信号パルスであるのかを、上記信号パルスのパルス間隔に基づいて判断する判断手段と、受信した信号パルスが火災の要因による信号パルスであると判断されれば、防災受信盤における蓄積時間が経過した後に火災警報する火災警報出力手段と、受信した信号パルスが火災の要因による信号パルスであると判断されれば、上記防災受信盤における蓄積時間を所定の蓄積時間とし、受信した信号パルスが火災以外の要因による信号パルスであると判断されれば、上記防災受信盤における蓄積時間を変更する蓄積時間変更手段とを有することを特徴とする。
【発明の効果】
【０００７】
本発明によれば、各火災検知器の状態に合わせて、各火災検知器毎に、火災判定時間（蓄積時間）を設定するので、一過性の現象や火災検知器の機能低下等による誤報を少なくすることができるという効果を奏する。
【図面の簡単な説明】
【０００８】
【図１】本発明の実施例１であるトンネル用防災システム１００を示す図である。
【図２】実施例１において、火災検知器ＳＥ１が出力する信号パルスの例を示す図である。
【図３】実施例１の蓄積時間変更動作を示すフローチャートである。
【発明を実施するための形態】
【０００９】
発明を実施するための形態は、以下の実施例である。
【実施例１】
【００１０】
図１は、本発明の実施例１であるトンネル用防災システム１００を示す図である。
【００１１】
トンネル用防災システム１００は、防災受信盤１０とトンネル内に系統毎に設置された火災検知器ＳＥ１、ＳＥ２、ＳＥ３、ＳＥ４とを有する。
【００１２】
防災受信盤１０は、信号パルス受信手段１１と、判断手段１２と、蓄積時間変更手段１３と、火災警報出力手段１４と、データベース１５とを有する。
【００１３】
信号パルス受信手段１１は、火災検知器ＳＥ１〜ＳＥ４が検出した物理現象に応じた信号パルスを火災検知器ＳＥ１〜ＳＥ４から受信する。
【００１４】
判断手段１２は、火災検知器ＳＥ１〜ＳＥ４から受信した信号パルスが、火災の要因による信号パルスであるのか、または、火災以外の要因による信号パルスであるのかを判断する。つまり、判断手段１２は、受信した信号パルスのパルス間隔とデータベース１５に格納されている各パルス間隔の時間とを比較することによって、受信した信号パルスのパルス間隔が、火災の要因による信号パルスであるのか、または、火災以外の要因による信号パルスであるのかを判断する手段である。受信した信号パルスのパルス間隔を判断することによって、受信した信号パルスのパルス間隔とデータベース１５に格納されている各パルス間隔の時間とを比較する。
【００１５】
蓄積時間変更手段１３は、受信した信号パルスが火災の要因による信号パルスであると判断されれば、予めデータベース１５に設定されている所定の蓄積時間経過後に火災警報出力手段１４を介して火災警報し、一方、受信した信号パルスが火災以外の要因による信号パルスであると判断されれば、受信した信号パルスのパルス間隔に基づいて、データベース１５における火災検知器の蓄積時間を変更する。つまり、蓄積時間変更手段１３は、たとえば、一過性の現象（ノイズ等）によって発生した信号パルスであれば、上記蓄積時間を第１の所定時間よりも長い第２の所定時間に変更し、火災検知器ＳＥ１〜ＳＥ４が故障したときに発生した信号パルスであれば、上記蓄積時間を第２の所定時間よりも長い第３の所定時間に変更する手段である。
【００１６】
火災警報出力手段１４は、火災検知器ＳＥ１〜ＳＥ４から火災信号を受信すると、地区ベルの鳴動や表示灯点灯等によって、火災警報する手段である。
【００１７】
データベース１５は、記憶手段の例であり、蓄積時間を格納している。
【００１８】
火災検知器ＳＥ１〜ＳＥ４は、火災検出手段２１と、信号処理手段２２と、火災信号パルス送信手段２２とを有する。火災検知器ＳＥ２〜ＳＥ４のそれぞれの構成は、火災検知器ＳＥ１の構成と同様である。
【００１９】
次に、実施例１の動作について説明する。
【００２０】
図２は、実施例１において、火災検知器ＳＥ１〜ＳＥ４が出力する信号パルスの例を示す図である。
【００２１】
図２（１）は、平常時の信号パルスを示し、常にＬoｗレベルの信号である。図２（２）は、火災時における信号パルス（火災信号パルス）を示し、一定間隔で、パルスが送出される。図２（３）は、火災以外の要因で発生する信号パルスであり、ノイズ、自動車に搭載された無線機による誤報等、偶発的に発生する信号パルスである。
【００２２】
火災検知器ＳＥ１〜ＳＥ４の火災時の信号パルス（火災信号パルス）は、火災検知のサンプリング周期（たとえば、２．６秒）毎に連続して出力される。一方、火災以外の要因による信号パルスは、必ずしも火災時の信号パルスのように連続して出力されない。よって、火災以外の要因による信号パルスの間隔は、火災時よりも長くなる。
【００２３】
図３は、実施例１の防災受信盤１０の蓄積時間変更動作を示すフローチャートである。なお、以下の説明において、火災検知器ＳＥ１に着目して説明するが、火災検知器ＳＥ２〜ＳＥ４の各動作も、火災検知器ＳＥ１における動作と同様である。
【００２４】
Ｓ１で、火災検知器ＳＥ１から、信号パルスを受信し、Ｓ２で、パルス間隔が火災判定パルスに合致する（所定のパルス間隔以下である）かどうかを判定する。つまり、パルス間隔ｔ１がたとえば８秒間未満であるかどうかを判定する。パルス間隔ｔ１が８秒間未満であれば、Ｓ３で、火災パルスであると判定する。そして、Ｓ４で、データベース１５で設定された蓄積時間を経過後に、防災受信盤１０が既に蓄積復旧しているかどうかを判断し、蓄積復旧していなければ、Ｓ５で、データベース１５から火災信号パルスを入力した火災検知器用の蓄積時間（たとえば、４秒）を検索する。そして、Ｓ６で、蓄積時間を計測し、Ｓ７で、蓄積復旧処理を行なう。つまり、防災受信盤１０は、火災検知器ＳＥ１が火災であるという情報をオフする。そして、Ｓ１に戻る。
【００２５】
そして、火災検知器ＳＥ１から８秒以内に、信号パルスを再び受信すると、Ｓ１〜Ｓ３と同じ処理を実行し、Ｓ４で蓄積復旧したかどうかを判断し、既に蓄積復旧しているので、Ｓ１１で火災警報を行なう。
【００２６】
一方、Ｓ２で受信した信号パルスのパルス間隔が８秒間以上であると判断されると、Ｓ２１で、信号パルス間隔を判定し、Ｓ２２で、パルス間隔が１時間以上であるかどうかを判断し、１時間以上であると判断されると、Ｓ２３で、蓄積時間をデフォルト（たとえば４秒間）に戻し、Ｓ２４で、設定された蓄積時間をデータベース１５に書き換え、Ｓ１に戻る。つまり、パルス間隔が１時間以上であれば、その信号パルスは、たとえば、一過性のノイズ等による信号パルスであり、火災信号パルスではないと判断される。
【００２７】
Ｓ２２でパルス間隔が１時間未満であると判断されると、Ｓ３１で、パルス間隔が１０分間〜１時間であるかどうかを判断し、パルス間隔が１０分間〜１時間であると判断されると、Ｓ３２で、蓄積時間をデフォルト×２（＝８秒間）に設定し、Ｓ２４に進む。つまり、パルス間隔が、１０分間〜１時間であれば、たとえば、火災検知器ＳＥ１の前を通過した自動車に搭載されている無線機によるパルスであると判断され、蓄積時間を、デフォルト×２（＝８秒間）に設定する。
【００２８】
Ｓ３１でパルス間隔が１０分間よりも短いと判断されると、Ｓ４１で、パルス間隔が３０秒間〜１０分間であるかどうかを判断し、パルス間隔が３０秒間〜１０分間であると判断されると、Ｓ４２で、蓄積時間をデフォルト×３（＝１２秒間）に設定し、Ｓ２４に進む。
【００２９】
Ｓ４１でパルス間隔が３０秒間よりも短いと判断されると、Ｓ５１で、パルス間隔が８秒間〜３０秒間であるかどうかを判断し、パルス間隔が８秒間〜３０秒間であると判断されると、Ｓ５２で、蓄積時間をデフォルト×４（＝１６秒間）に設定し、Ｓ２４に進む。つまり、パルス間隔が、８秒間〜３０秒間であれば、たとえば、火災検知器ＳＥ１の故障による信号パルスの発生であることが多いので、蓄積時間をデフォルト×４（＝１６秒間）に設定する。なお、Ｓ５１でパルス間隔が８秒間〜３０秒間ではないと判断されれば、Ｓ２に戻る。
【００３０】
そして、防災受信盤１０は、一過性のノイズ等のような一度発生した後は発生頻度が少ない傾向のものに対しては、蓄積時間を第１の所定時間（たとえば、初期値４秒）よりも長い第２の所定時間（たとえば、８秒）に設定し、火災検知器ＳＥ１〜ＳＥ４の部品劣化による故障のような一度発生した後は発生頻度が多い傾向であるものに対しては、蓄積時間を第２の所定時間よりも長い第３の所定時間（たとえば、１６秒）に設定する。また、防災受信盤１０は、自動車に搭載されている無線機のような一度発生した後は一時的に発生頻度が多い傾向のものは、蓄積時間は両者の間（たとえば、１２秒）に設定する。
【００３１】
実施例１では、パルス間隔を、８秒間未満、８秒間〜３０秒間、３０秒間〜１０分間、１０分間〜１時間、１時間以上の５段階に区分けしているが、４段階以下または６段階以上で区分けするようにしてもよい。また、各段階の間隔時間を、上記とは異なる時間に設定するようにしてもよい。
【００３２】
上記実施例によれば、各火災検知器ＳＥ１〜ＳＥ４の状態に合わせて、各火災検知器ＳＥ１〜ＳＥ４毎に、火災判定時間（蓄積時間）を設定するので、誤報を少なくすることができる。
【符号の説明】
【００３３】
１００…トンネル用防災システム、
１０…防災受信盤、
１１…信号パルス受信手段、
１２…判断手段、
１３…蓄積時間変更手段、
１４…火災警報手段、
１５…データベース、
ＳＥ１、ＳＥ２、ＳＥ３、ＳＥ４…火災検知器。
【図１】
0005409448.tif 000002
【図２】
0005409448.tif 000003
【図３】
0005409448.tif 000004